(57)【要約】熱及び／又は音遮断手段を備えた鉄筋コンクリートフロアを製造する方法において、型枠に遮断プレート、補強スチールグリッド及びコンクリートを施与し、その際遮断プレートとしてセメントペースト結合した膨張したポリスチレン粒子からなるプレートを使用する。【特許請求の範囲】
【請求項１】
型枠に遮断プレート、補強スチールグリッド及びコンクリートを施与することにより、熱及び／又は音遮断手段を備えた鉄筋コンクリートフロアを製造する方法において、遮断プレートとしてセメントペースト結合した膨張したポリスチレン粒子からなるプレートを使用することを特徴とする、熱及び／又は音遮断手段を備えた鉄筋コンクリートフロアの製造方法。
【請求項２】
遮断プレートのセメントペーストが、現場打ちコンクリートを施与する前に不完全に水和化されていることを特徴とする請求項１記載の方法。
【請求項３】
補強スチールグリッドを直接遮断プレート上に載置することを特徴とする請求項１又は２記載の方法。
【請求項４】
遮断プレートを埋設型枠として使用することを特徴とする請求項１から３までのいずれか１項記載の方法。
【請求項５】
厚さ５０〜２５０ｍｍを有する遮断プレートを使用することを特徴とする請求項１から４までのいずれか１項記載の方法。
【発明の詳細な説明】
【０００１】
本発明は、型枠に遮断プレート、補強スチールグリッド及びコンクリートを施与することにより、熱及び／又は音遮断手段（ｈｅａｔ ａｎｄ／ｏｒ ｓｏｕｎｄ ｉｎｓｕｌａｔｉｏｎ）を備えた鉄筋コンクリートフロアを製造する方法に関する。
【０００２】
熱及び／又は音遮断手段を備えているべきである鉄筋コンクリートフロアを製造する場合には、このような鉄筋コンクリートフロアに対して相応する遮断プレートをジベルでが固定するのが通例である。この場合には、ファサードの後からの断熱におけると同様に、大抵、後で硬化したフロアに固定することができるガラス繊維マット又は石綿マットが使用される。このようなガラス繊維マット又は石綿マットもしくはまた別の公知の遮断プレートを１工程で直接的に鉄筋コンクリートフロアの製造に際に既に組み込むべき場合には、極く一般的には適当なアンカーが設けられねばならず、これは後で現場打ちコンクリートで包囲されるので、コンクリート内に定着される。しかし、このようなアンカーは補強スチールグリッドの挿入を妨害しかつ補強スチールグリッドの挿入の際に常に、このようなアンカーが遮断プレートの固定のために折り曲げられる又は折られる危険が生じるので、遮断プレートの、その自重の下での必要な保持は保証されない。さらに、ガラス繊維マット又は石綿マットは湿分を吸収する傾向を有し、それによりこれらは比較的高い単位面積当たり重量を有することがあり、このことはまた定着に対する高い要求を設定する。
【０００３】
ファサードの断熱ためには、ファサードに接着されかつ次いで被覆されるポリスチレン硬質フォームプレート又は押出されたフォームプレートが公知になっている。最近、ＥＰ６７２２１６Ｂ１から、ポリスチレン硬質フォーム−軽量コンクリートからなる前記のようなファサード遮断プレートが公知になっており、これは０．２〜０．３５ｋｇ／ｌの見掛け比重を有しかつこれを用いると１６〜１８ｃｍの材料厚さで約０．４Ｗ／ｍ２ＫのＫ値を達成することができる。このような公知の遮断プレートは、必要とされる見掛け比重を達成するために、粒度が２〜１５ｍｍであるセメントペースト結合した粉砕ポリスチレンフォーム屑を含有する。結果として、ファサードのために公知でありかつ一般に後で簀の子を使用して固定されるような、このような断熱プレートは、ポリスチレンフォーム屑が均一に埋込まれた、耐水性のかつ湿分吸収に対して十分に抵抗性の開放気泡構造である。このようなプレートは、容易に加工することができかつ常用の工具で成形加工することができる。
【０００４】
今や、本発明の課題は、唯一の工程で直接、接着剤又はアンカーの介在なしで遮断プレートが高強度に固定された鉄筋コンクリートフロアが形成されるように、アンカーの補助なしで熱及び／又は音遮断手段を組込むことができる、補強スチールグリッドを備えた鉄筋コンクリートフロアを製造するための冒頭に記載した形式の方法を提供することである。
【０００５】
この課題を解決するために、本発明による方法の要旨は、遮断プレートとしてセメントペースト結合した膨張したポリスチレン粒子からなるプレートを使用することにある。遮断プレートとしてファサードプレートのために自体公知の、セメントペースト結合した膨張したポリスチレン粒子からなるプレートを使用することにより、今や驚異的にも、アンカーの使用を止めることができる。このような鉄筋コンクリートフロアを製造するためには、遮断プレートに相応する補強スチールグリッドを載置しかつ直接現場打ちコンクリートを注ぎかければ十分である。開放気泡構造及びプレートのポリスチレン粒子のセメントペースト結合に基づき、水及びコンクリートは部分的に遮断プレートの、コンクリートに隣接した境界面に浸透し、その際セメント残分及び現場打ちコンクリートで、高い剪断応力及び引張応力に耐える高強度の確実な定着が達成される。相応する実験で、硬度の耐湿性を示しかつ機械的剥離の実験では、工具の作用によって達成され得るような破断箇所は、もっぱら遮断材料層内にのみ生じ、しかしコンクリートに対する境界層には生じない、従ってまた高い剪断応力も保証されることが判明した。付加的な接着は省くことができ、並びに大抵の場合型枠を省くこともできる。それというのも、このような遮断プレート自体埋設型枠として使用可能であるからである。従って、本発明による鉄筋コンクリートフロアは、遮断プレートが埋設型枠として使用されるように構成するのが有利である。
【０００６】
特に高い付着性及び遮断プレートのコンクリートに対する境界層への一体化は、有利に、遮断プレートのセメントペーストが、現場打ちコンクリートを施与する前に不完全に水和化されているように実施すれば達成される。
【０００７】
本発明の枠内で如何なる種類のアンカーをも放棄することができるので、有利に、補強スチールグリッドを直接遮断プレートに載置するように実施することができ、しかもこの場合、通常使用されるアンカーが補強スチールグリッドの挿入の際の曲がり又は破壊により無効になる危険が生じない。
【０００８】
相応する熱及び／又は音遮断手段は、簡単に、厚さ５０〜２５０ｍｍを有する遮断プレートを使用することにより達成することができる。
【０００９】
総括すれば、本発明による構成により、プレートを損傷せずに補強手段の問題のない敷設が生じ、その際大抵の場合特に縁の折り曲げ領域においてこのような遮断プレートを埋設型枠として使用することができる。例えば丸鋸のような通常の工具を用いた簡単な加工及び細工の他に、建造物への正確な取付けも達成される。本発明の枠内で使用される遮断プレートの小さい自重の他に、良好な視覚的外見、少ないカット及び迅速かつ複雑でない加工も達成される。セメントペースト結合に基づき、同時に高度の耐湿性も達成される。
【国際公開パンフレット】
2004510904.tif 000002
2004510904.tif 000003
2004510904.tif 000004
2004510904.tif 000005
2004510904.tif 000006
2004510904.tif 000007
【国際調査報告】
2004510904.tif 000008
2004510904.tif 000009
2004510904.tif 000010
2004510904.tif 000011
2004510904.tif 000012
2004510904.tif 000013